(57)【要約】【課題】打席の終了キーを押すのを忘れて帰ろうとしたときに、それをリーダライタの方で自動的に検知し、今まで使用していた打席を自動的に終了状態にして、前述のような料金上の不都合が発生しない安全性の高いゴルフ練習場の管理システムを提供する。【解決手段】ティアップ装置７、ティアップ装置７の動作終了のための終了入力手段１３、非接触式記憶媒体とアクセスできる打席用リーダライタ１４、制御装置１７を備え、非接触式記憶媒体を打席用リーダライタ１４に近づけてティアップ装置７を可動な状態にし、終了入力手段１３の操作でティアップ装置７の動作を終了するシステムで、打席用リーダライタ１４より感応領域の広い出口用リーダライタ１５を通路１の出口３付近に設け、終了入力手段１３を操作しなかったとき、出口用リーダライタ１５が非接触式記憶媒体の通過を検知するとティアップ装置７の動作を強制終了する。【選択図】図１
2013123631.tif 000002
【特許請求の範囲】
【請求項１】
自動ティアップ装置と、その自動ティアップ装置の動作を終了するための終了入力手段と、非接触式記憶媒体との間で情報の授受ができる打席用リーダライタを設けた打席と、
制御装置とを備え、
前記非接触式記憶媒体を打席用リーダライタに近づけて前記自動ティアップ装置の動作を可能な状態にし、
前記終了入力手段を操作することにより前記自動ティアップ装置の動作を終了するゴルフ練習場の管理システムにおいて、
前記打席用リーダライタよりも感応領域の広い出口用リーダライタを前記打席に連なる通路の出口付近に設置し、
前記終了入力手段による終了の入力をしていなかったときに、前記出口用リーダライタが前記非接触式記憶媒体の通過を検知すると、その検知信号を前記制御装置に入力し、その制御装置からの終了信号により前記自動ティアップ装置の動作を強制終了する構成になっていることを特徴とするゴルフ練習場の管理システム。
【発明の詳細な説明】
【技術分野】
【０００１】  本発明は、ゴルフ練習場の管理システムに係り、特に顧客がゴルフ練習時に使用する非接触式ＩＣカードとの間で情報の授受ができるリーダライタを備えたゴルフ練習場の管理システムに関するものである。
【背景技術】
【０００２】  ゴルフ練習場では、ゴルフ練習者（顧客）が打席に立って、自動ティアップ装置上にゴルフボールを出すときにコインやプリペイドカードが使用されていた。
コインを使用する場合、顧客が練習を終えて帰るときコインの取り忘れの問題は殆ど無い。また、プリペイドカードを使用する場合、顧客がプレーするときプリペイドカードを打席に設置されているリーダライタに挿入して情報を読み込ませ、ティアップ装置上にゴルフボールが自動供給されて、プレーが開始される。プレー中プリペイドカードは顧客の手から離れて、リーダライタの中にある。顧客が練習を終えて帰るとき、打席に設置されている終了キーを押し、リーダライタからプリペイドカードを出して持ち帰るという動作が行われる。そのため、顧客が練習を終えて帰るときに、プリペイドカードを取り忘れることは殆ど無かった。
近年、諸般の事情からプリペイドカードに代わるものとして、非接触式ＩＣカードが使用できるゴルフ練習場が増えている。
【発明の概要】
【発明が解決しようとする課題】
【０００３】  この非接触式ＩＣカードが使用できるゴルフ練習場においては、次のような不都合が発生することが分かった。
すなわち、非接触式ＩＣカードが使用できるゴルフ練習場では、顧客はプレーを開始するときだけ非接触式ＩＣカードを打席に設置されているＩＣカード用のリーダライタにかざしてＩＣカード中の情報が読み出され、それによってティアップ装置上にゴルフボールが自動供給され、練習可能な状態となる。【０００４】  プレーが開始される前にＩＣカードは顧客のポケットなどに納められ、顧客が身につけた状態になっている。そのため、プレーを終了して帰るとき打席の終了キーを押すのを忘れて、そのまま帰る顧客が多々いる。
終了キーを押さずに顧客が帰っても、自動ティアップ装置は動作状態にあるから、他人がその打席を使用してしまうということが発生する。この場合、料金は終了キーを押さずに帰った先の顧客の口座から引き落とされるという不都合が生じる。【０００５】  本発明の目的は、このような従来技術の問題を解消し、前述のような料金上の不都合が発生しない安全性の高いゴルフ練習場の管理システムを提供することにある。
【課題を解決するための手段】
【０００６】  前記目的を達成するため、本発明は、
自動ティアップ装置と、その自動ティアップ装置の動作を終了するための例えば後述するスタート／ストップペダルなどの終了入力手段と、例えば後述する非接触式ＩＣカードなどの非接触式記憶媒体との間で情報の授受ができる打席用リーダライタを設けた打席と、
制御装置とを備え、
前記非接触式記憶媒体を打席用リーダライタに近づけて前記自動ティアップ装置の動作を可能な状態にし、
前記終了入力手段を操作することにより前記自動ティアップ装置の動作を終了するゴルフ練習場の管理システムを対象とするものである。
そして、前記打席用リーダライタよりも感応領域の広い出口用リーダライタを前記打席に連なる通路の出口付近に設置し、
前記終了入力手段による終了の入力をしていなかったときに、前記出口用リーダライタが前記非接触式記憶媒体の通過を検知すると、その検知信号を前記制御装置に入力し、その制御装置からの終了信号により前記自動ティアップ装置の動作を強制終了する構成になっていることを特徴とするものである。
【発明の効果】
【０００７】  本発明は前述のような構成になっており、顧客が打席の終了入力手段の操作を忘れて帰ろうとしたときに、それを出口用リーダライタの方で自動的に検知し、今まで使用していた自動ティアップ装置を強制的に終了状態にして、前述のような料金上の不都合が発生しない安全性の高いゴルフ練習場の管理システムを提供することができる。
【図面の簡単な説明】
【０００８】
【図１】  本発明の実施例に係るゴルフ練習場の管理システムを説明するための模式図である。
【発明を実施するための形態】
【０００９】  次に本発明の実施例を図面と共に説明する。図１は、本発明の実施例に係るゴルフ練習場の管理システムを説明するための模式図である。
この図に示すように、ゴルフ練習場の通路１に沿って多数の支柱２が立設されており、通路１の一方の端に顧客が出入りするための出入口３が設けられている。また通路１のフェアウェー４側には、仕切り部材５でそれぞれ仕切られた打席６が横並びに設けられている。
【００１０】  各打席６には、自動ティアップ装置７、その自動ティアップ装置７の周囲に敷設されたマット８、自動ティアップ装置７の近くに設置された操作・表示装置９などが設けられている。前記操作・表示装置９には、ティアップペダル１０、ティダウンペダル１１、液晶表示部１２ならびにスタート／ストップペダル１３などが設けられている。
【００１１】  少なくとも打席６側の支柱２ａは打席６毎にその間隔で立設されており、本実施例の場合その支柱２ａの所定の高さの所に、顧客が保持している非接触式ＩＣカード（図示せず）に対して情報の読み出しならびに書き込みができる打席用リーダライタ１４が設置されている。また、通路１と出入口３の間に立設されている出入口側の支柱２ｂの所定の高さの所に、通路１の内側を向くように、前記非接触式ＩＣカードに対してアクセスできる出口用リーダライタ１５が設置されている。本実施例の場合、両側の出入口側支柱２ｂにそれぞれ出口用リーダライタ１５が対向するように設置されている。
【００１２】  ゴルフ練習場のフロント１６にはフロントパソコン１７が設置されており、フロントパソコン１７は各打席に設置されている操作・表示装置９（ティアップペダル１０、ティダウンペダル１１、液晶表示部１２、スタート／ストップペダル１３）、打席用リーダライタ１４ならびに出口用リーダライタ１５と接続されている。
【００１３】  前記打席用リーダライタ１４は、点線で示すように例えば５〜１５ｃｍ程度（本実施例では１０ｃｍ）の狭小感応領域１８のもの（感度の低いもの）を使用している。一方、前記出口用リーダライタ１５は、点線で示すように例えば１．５〜２ｍ（本実施例では通路１の幅が３ｍであるため１．７ｍ）の広大感応領域１９のもの（感度の高いもの）を使用している。後述するように、練習を終えて帰る顧客のポケットなどに入っている非接触式ＩＣカードが確実に検知できるように、本実施例では通路１の中央部で感応領域１９がラップするようになっている。
【００１４】  通常、顧客は打席６に来ると自己が所持している非接触式ＩＣカードを打席用リーダライタ１４にかざし（近づけて）、非接触式ＩＣカードに記憶されている個別情報を読み取り、打席６の使用が可能な状態になり、スタート／ストップペダル１３を踏んでプレーを開始する。
プレーを終了するときには、再びスタート／ストップペダル１３を踏んでプレーを終了し、その時点でスタート／ストップペダル１３からのプレー終了信号がフロントパソコン１７に入力され、料金の精算などがなされる。
ところで、プレー終了時に顧客がスタート／ストップペダル１３を踏まないで打席６から離れると、自動ティアップ装置７はまだ動作状態にあり、前述の課題の欄で述べたような不都合が生じる。
【００１５】  そのため本発明では、出入口３の近くに広大感応領域１９を有する出口用リーダライタ１５を設置して、顧客が出入口３を通過する際に、顧客がポケットなどに納めている非接触式ＩＣカードを自動的に検知する。その検知信号はフロントパソコン１７に入力され、フロントパンコン１７では顧客が帰ったものと見做し、フロントパソコン１７から該当打席６の自動ティアップ装置７の動作状態を強制的にオフする、すなわち終了するシステムになっている。
【００１６】  本実施例では出口用リーダライタ１５を出入口側の支柱２ｂに設置したが、出入口３に近い壁、あるいは出入口３にドアがある場合はそのドアに出口用リーダライタ１５を設置してもよい。またこの出口用リーダライタ１５は１個でも複数個でも構わない。
通路への入口と出口が別になっている場合は、出口側にリーダライタ１５を設置すればよい。
本実施例ではスタート／ストップペダルを使用したが、スタート／ストップキーであっても構わない。
【符号の説明】
【００１７】  １：通路、
２：支柱、
２ａ：打席側の支柱、
２ｂ：出口側の支柱、
６：打席、
９：操作・表示装置、
１３：スタート／ストップペダル、
１４：打席用リーダライタ、
１５：出口用リーダライタ、
１７：フロントパソコン、
１８：狭小感応領域、
１９：広大感応領域。
【図１】
2013123631.tif 000003